(57)【特許請求の範囲】
【請求項１】
光源を保持する器具本体と、前記器具本体を支柱に取り付ける取付部材と、を備え、
前記取付部材は、前記器具本体に固定されるベース部と、前記ベース部に対して複数の取付位置のうちの任意の１つの取付位置に取り付けられる第１支柱支持体と、前記第１支柱支持体を覆うように設けられる第２支柱支持体と、を有しており、
前記第１支柱支持体は、前記複数の取付位置の並ぶ方向に沿って、異なる複数種の前記支柱を選択的に支持する複数の支持部が並んで設けられており、
前記第２支柱支持体は、前記複数の支持部のうちの１つの前記支持部に前記支柱が支持された状態で、前記第１支柱支持体との間に前記支柱を挟み込むことを特徴とする照明器具。
【請求項２】
前記ベース部および前記第１支柱支持体のいずれか一方には、前記複数の取付位置の並ぶ方向と交差する溝部が設けられており、前記ベース部および前記第１支柱支持体の他方には、前記溝部と嵌め合される突条部が設けられていることを特徴とする請求項１に記載の照明器具。
【請求項３】
前記第１支柱支持体は、前記複数の支持部それぞれに適合する外径の異なる複数種の前記支柱の何れかが選択的に支持された場合、何れの外径の前記支柱であっても、前記ベース部から前記支柱の高さが揃うように支持することを特徴とする請求項１または請求項２に記載の照明器具。
【請求項４】
前記第１支柱支持体は、３つ以上の前記支持部を備えており、前記複数の取付位置の並ぶ方向に沿って並んだ前記支持部のうち、両端の前記支持部を除いた前記支持部の１つが、外径の最も小さい前記支柱を支持することを特徴とする請求項３に記載の照明器具。
【発明の詳細な説明】
【技術分野】
【０００１】
本発明は、照明器具に関し、特に、支柱に取り付けられる照明器具に関する。
【背景技術】
【０００２】
従来、道路灯若しくは街路灯などのように、照明器具が支柱に取り付けられて利用される場合がある。
【０００３】
この種の照明器具としては、光源が内部に収納された筺体を、ボルトとクランプとで支柱たるポールに取り付ける構造が知られている（たとえば、特許文献１）。
【０００４】
特許文献１の照明器具では、平板を折り曲げて形成されたクランプが筐体に取り付けられている。筐体とクランプとの間には、ポールの先端が挟み込まれる。特許文献１の照明器具は、クランプにねじ込まれたボルトの先端で、筐体に設けられた縦リブにポールを押し付けることにより、外径違いのポールを固定できる、とされている。
【先行技術文献】
【特許文献】
【０００５】
【特許文献１】特開２０１５−２０６０号公報
【発明の概要】
【発明が解決しようとする課題】
【０００６】
ところで、照明器具では、より施工作業性の向上を図ることができる構造が求められており、上述の照明器具の構造だけでは十分でなく、更なる改良が求められている。
【０００７】
本発明の目的は、より施工作業性の向上を図ることが可能な照明器具を提供することにある。
【課題を解決するための手段】
【０００８】
本発明の照明器具は、器具本体と、取付部材と、を備えている。上記器具本体は、光源を保持する。上記取付部材は、上記器具本体を支柱に取り付ける。上記取付部材は、ベース部と、第１支柱支持体と、第２支柱支持体と、を有している。上記ベース部は、上記器具本体に固定される。上記第１支柱支持体は、上記ベース部に対して、複数の取付位置のうちの任意の１つの取付位置に取り付けられる。上記第２支柱支持体は、上記第１支柱支持体を覆うように設けられる。上記第１支柱支持体は、上記複数の取付位置の並ぶ方向に沿って、複数の支持部が並んで設けられている。上記複数の支持部は、異なる複数種の上記支柱を選択的に支持することができるように構成されている。上記第２支柱支持体は、上記複数の支持部のうちの１つの上記支持部に上記支柱が支持された状態で、上記第１支柱支持体との間に上記支柱を挟み込むことを特徴とする。
【発明の効果】
【０００９】
本発明の照明器具は、より施工作業性の向上を図ることが可能となる。
【図面の簡単な説明】
【００１０】
【図１】図１は、実施形態の照明器具を示す平面側の分解斜視図である。
【図２】図２は、実施形態の照明器具を示す底面側の分解斜視図である。
【図３】図３は、実施形態の照明器具の要部を示す平面側の分解斜視図である。
【図４】図４は、実施形態の照明器具の要部を示す底面側の分解斜視図である。
【図５】図５Ａは、実施形態の照明器具の要部を説明する背面図であり、図５Ｂは、実施形態の照明器具の要部を示す平面図である。
【図６】図６Ａは、実施形態の照明器具の要部を説明する別の背面図であり、図６Ｂは、実施形態の照明器具の要部を示す別の平面図である。
【図７】図７Ａは、実施形態の照明器具の要部を説明する他の背面図であり、図７Ｂは、実施形態の照明器具の要部を示す他の平面図である。
【発明を実施するための形態】
【００１１】
以下では、本実施形態の照明器具１０について、図１ないし図７を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明器具１０は、図１に示すように、器具本体１と、取付部材２と、を備えている。器具本体１は、図２に示すように、光源１ａを保持することができるように構成されている。取付部材２は、器具本体１を支柱１１に取り付ける。取付部材２は、図１、図３および図４に示すように、ベース部２ａと、第１支柱支持体２ｂと、第２支柱支持体２ｃと、を有している。ベース部２ａは、器具本体１に固定される。第１支柱支持体２ｂは、図５ないし図７に示すように、ベース部２ａに対して、複数の取付位置のうちの任意の１つの取付位置に取り付けられる。第２支柱支持体２ｃは、第１支柱支持体２ｂを覆うように設けられる。第１支柱支持体２ｂは、複数の取付位置の並ぶ方向に沿って、複数の支持部２ｂａが並んで設けられている。複数の支持部２ｂａは、異なる複数種の支柱１１を選択的に支持することができるように構成されている。
【００１３】
図５では、異なる複数種の支柱１１のうち、外径が最も大きい円筒状の第１支柱１１ａを例示している。図６では、異なる複数種の支柱１１のうち、外径が最も小さい第３支柱１１ｃを例示している。図７では、異なる複数種の支柱１１のうち、外径が第１支柱１１ａと第３支柱１１ｃとの間にある大きさの第２支柱１１ｂを例示している。第２支柱支持体２ｃは、複数の支持部２ｂａのうちの１つの支持部２ｂａに支柱１１が支持された状態で、第１支柱支持体２ｂとの間に支柱１１を挟み込むように構成されている。
【００１４】
本実施形態の照明器具１０は、複数の取付位置の並ぶ方向に沿って、第１支柱支持体２ｂの複数の支持部２ｂａが並んで設けられており、第２支柱支持体２ｃが第１支柱支持体２ｂとの間に支柱１１を挟み込む構成で、より施工作業性の向上を図ることが可能となる。
【００１５】
以下では、本実施形態の照明器具１０の各構成について詳述する。
【００１６】
器具本体１は、光源１ａを点灯させる点灯回路部と、光源１ａを保持する筐体部１ｃと、筐体部１ｃを支持する支持体１ｄと、を備えている。器具本体１は、光源１ａが一体的に固定された構造でもよいし、光源１ａが交換自在な構造であってもよい。
【００１７】
光源１ａは、ＬＥＤ(Light Emitting Diode)と、実装基板と、光学部材１ａａと、を備えている。ＬＥＤは、ＬＥＤチップと、パッケージと、封止部と、を有している。パッケージは、凹所を備えている。パッケージは、ＬＥＤチップを凹所に収納する。封止部は、パッケージの凹所でＬＥＤチップを覆う。ＬＥＤチップは、たとえば、青色ＬＥＤチップを用いることができる。封止部は、黄色蛍光体が含有されていてもよい。黄色蛍光体は、青色ＬＥＤチップから放射される青色光で励起され、黄色光を放射する。ＬＥＤは、青色ＬＥＤチップから放射される青色光と、黄色蛍光体から放射される黄色光との混色により、白色光を放射させることができる。
【００１８】
実装基板には、複数のＬＥＤがマトリックス状に実装されている。実装基板は、ＬＥＤが実装される実装面に、所定の形状の配線が形成されている。配線は、複数のＬＥＤを適宜に電気的に接続している。実装基板は、配線を用いて、複数のＬＥＤに給電できるように構成されている。実装基板は、たとえば、プリント基板を用いることができる。実装基板は、プリント基板だけに限らず、たとえば、セラミック基板、金属ベースプリント配線板などを用いてもよい。配線の材料としては、たとえば、銅や銅合金を用いることができる。
【００１９】
光学部材１ａａは、長尺の板状に構成されている。光学部材１ａａは、ＬＥＤが実装された実装基板を覆っている。光学部材１ａａは、ＬＥＤから放射される光に対して透光性を有している。光学部材１ａａは、図２に示すように、複数個のＬＥＤそれぞれに、一対一に対応して複数のレンズ部１ａｂを備えている。レンズ部１ａｂは、内部が空洞なドーム状の外形形状をしている。レンズ部１ａｂは、ＬＥＤから放射された光の配光を制御し、所望の配光特性を実現するように構成されている。
【００２０】
光学部材１ａａは、たとえば、アクリル樹脂、ポリカーボネート樹脂やガラスなどの透光性材料により形成することができる。光学部材１ａａは、たとえば、射出成形により形成することができる。光学部材１ａａは、透光性材料に拡散材を含有させて形成されていてもよい。光学部材１ａａは、レンズ機能を備えた構成でもよいし、レンズ機能を備えていなくともよい。
【００２１】
点灯回路部は、所定の電力を光源１ａに供給できるように構成されている。点灯回路部は、電子部品と、電源用基板と、を備えている。電源用基板は、たとえば、プリント配線板を用いることができる。電源用基板には、複数種の電子部品が実装される。電子部品は、点灯回路部を構成する各種の回路を構成するために用いられる。各種の回路としては、たとえば、フィルタ回路、昇圧回路、降圧回路、主制御回路、制御電源回路、調光制御回路などが挙げられる。電子部品としては、たとえば、トランス、ダイオード、コンデンサ、スイッチング素子やマイクロコンピュータなどが挙げられる。点灯回路部は、各種の回路を構成する電子部品に加えて、たとえば、入力コネクタ、出力コネクタなどを備えた構成とすることができる。入力コネクタは、外部電源と電気的に接続される。外部電源は、たとえば、商用交流電源を用いることができる。点灯回路部には、交流電力が給電され、所定の直流電力が出力できるように構成されている。
【００２２】
筐体部１ｃは、ボディ１ｃａと、パネル１ｃｂと、連結体１ｃｃと、を備えている。筐体部１ｃは、一面が開口した箱状のボディ１ｃａを３つ有している。ボディ１ｃａそれぞれは、平面視において、矩形状で長尺の外形形状をしている。筐体部１ｃは、ボディ１ｃａの短手方向に沿って、３つのボディ１ｃａを連ねて一体となるように構成されている。ボディ１ｃａは、それぞれ同じ構造で形成されている。３つのボディ１ｃａは、連結体１ｃｃで連結されている。
【００２３】
連結体１ｃｃは、第１連結体１ｃｄと、第２連結体１ｃｅと、第３連結体１ｃｆと、を備えている。第１連結体１ｃｄは、隣接するボディ１ｃａを連結できるように構成されている。第２連結体１ｃｅは、ボディ１ｃａにおける短手方向に沿って、３つのボディ１ｃａを連結できるように構成されている。第３連結体１ｃｆは、ボディ１ｃａを介して、第２連結体１ｃｅに対向して配置される。第３連結体１ｃｆは、第１連結体１ｃｄに固定されている。
【００２４】
ボディ１ｃａは、内部に光源１ａが収容できるように構成されている。ボディ１ｃａには、図２に示すように、光源１ａを収容した凹部の開口を塞ぐようにパネル１ｃｂが配置されている。パネル１ｃｂは、光源１ａからの光を透過するように透光性を有している。パネル１ｃｂは、ボディ１ｃａの内部に配置された光源１ａを、外部から保護できるように構成されている。パネル１ｃｂは、透光性のガラスや樹脂により形成することができる。
【００２５】
ボディ１ｃａは、凹部において、光源１ａが設けられた底面側と反対の平面側に、点灯回路部を配置させている。光源１ａと点灯回路部とは、電線により、電気的に接続されている。ボディ１ｃａには、厚み方向に貫通する貫通孔が設けられている。筐体部１ｃでは、ボディ１ｃａの貫通孔に挿通された接続線により、外部電源からの電力が点灯回路部に給電されるように構成される。
【００２６】
ボディ１ｃａおよび連結体１ｃｃは、金属材料により形成されている。ボディ１ｃａは、金属製の板材の絞り加工によって形成することができる。連結体１ｃｃは、金属製の板材の曲げ加工により形成することができる。ボディ１ｃａおよび連結体１ｃｃは、たとえば、鋼板を用いて形成することができる。ボディ１ｃａおよび連結体１ｃｃの材料は、鋼板だけに限られず、アルミニウム、ステンレスや銅合金などの金属材料により形成してもよい。照明器具１０は、ボディ１ｃａおよび連結体１ｃｃを金属材料により形成することで、樹脂により形成する場合と比較して、光源１ａや点灯回路部で発生した熱を、筐体部１ｃを通して効率よく外部に放熱させることが容易となる。
【００２７】
支持体１ｄは、直方体状のボックス１ｄａと、板状の延出片１ｄｂと、を備えている。ボックス１ｄａは、一面に開口１ｄｋを有する箱体１ｄｃと、開口１ｄｋを塞ぐ蓋体１ｄｄと、を備えている。蓋体１ｄｄは、矩形平板状の外形形状をしている。ボックス１ｄａは、箱体１ｄｃと蓋体１ｄｄとで、内部が空洞な箱状に形成されている。ボックス１ｄａは、内部に結線端子１ｄｅを備えている。照明器具１０は、結線端子１ｄｅを介して、外部電源からの電力が点灯回路部に給電されるように構成されている。ボックス１ｄａは、内部に点灯回路部を備えた構成としてもよい。
【００２８】
箱体１ｄｃは、平面視において、矩形状の開口１ｄｋを望む周部の短手方向の一方に軸筒１ｄｆが設けられている。蓋体１ｄｄは、軸筒１ｄｆを挟み込むように、一対の管１ｄｇが矩形における一辺に沿って設けられている。軸筒１ｄｆと管１ｄｇとは、芯棒１ｄｈが挿通できるように構成されている。蓋体１ｄｄは、芯棒１ｄｈを軸として、箱体１ｄｃに対して開閉可能に取り付けられている。
【００２９】
ボックス１ｄａは、平面視において、箱体１ｄｃの長手方向の一端側に延出片１ｄｂが設けられている。延出片１ｄｂは、箱体１ｄｃの長手方向に沿って、設けられている。ボックス１ｄａは、平面視において、一対の延出片１ｄｂが箱体１ｄｃの短手方向において、対向して配置されている。延出片１ｄｂは、箱体１ｄｃの長手方向における側面から開口１ｄｋと反対側に延びるように設けられている。支持体１ｄは、３つのボディ１ｃａのうち、真中のボディ１ｃａを挟むように、一対の延出片１ｄｂが筐体部１ｃにそれぞれ取り付けられている。延出片１ｄｂの先端部は、保持ねじ１ｍにより筐体部１ｃの第１連結体１ｃｄにねじ止めされるように構成されている。
【００３０】
ボックス１ｄａおよび延出片１ｄｂは、金属材料により形成することができる。ボックス１ｄａは、たとえば、アルミニウムダイカストにより形成することができる。延出片１ｄｂは、金属製の平板の折り曲げ加工により形成することができる。ボックス１ｄａは、図１に示すように、背面側に支柱１１が挿入される挿入孔１ｄｍを有している。ボックス１ｄａは、円筒状の支柱１１の内部を通った外部電源からの電源線が、結線端子１ｄｅで接続できるように構成されている。結線端子１ｄｅは、接続線を介して、点灯回路部と電気的に接続されている。支柱１１は、給電用の電源線だけでなく、信号線が挿通されてもよい。照明器具１０は、信号線により外部から伝送された制御信号で光源１ａの点灯が制御されるように構成されていてもよい。
【００３１】
本実施形態の照明器具１０では、光源１ａとして、ＬＥＤを利用した構成としているが、ＬＥＤを利用する構成だけに限られず、有機ＥＬ(Electro Luminesces)素子、放電灯を利用した構成でもよい。
【００３２】
取付部材２は、図３に示すように、ベース部２ａと、第１支柱支持体２ｂと、第２支柱支持体２ｃと、に加え、結合部３を有している。
【００３３】
ベース部２ａは、台座部２ａ１と、突出部２ａ２と、枠部２ａ３と、湾曲部２ａ４と、を備えている。台座部２ａ１は、矩形平板状の外形形状をしている。台座部２ａ１は、一表面２ａｓに突条部４ｂが設けられている。突条部４ｂは、台座部２ａ１の長手方向の中央部において、台座部２ａ１の短手方向に沿って延びるように設けられている。台座部２ａ１は、平面視において、長手方向の両側であって短手方向の中央部に、厚み方向に貫通する第１貫通孔２ａａを有している。突条部４ｂは、台座部２ａ１の一表面２ａｓから離れるにつれ先細るように、三角柱状の外形形状をしている。突出部２ａ２は、平面視において、台座部２ａ１の４隅から台座部２ａ１の長手方向に沿って外方向に突出するように設けられている。突出部２ａ２は、厚み方向に貫通する第２貫通孔２ａｂを備えている。ベース部２ａは、図１に示すように、第２貫通孔２ａｂに挿通された取付ねじ２ａｕにより、器具本体１の箱体１ｄｃに取り付けることができるように構成されている。
【００３４】
枠部２ａ３は、台座部２ａ１の一表面２ａｓから台座部２ａ１の厚み方向に突出するように設けられている。枠部２ａ３は、直方体の外形形状をしている。枠部２ａ３は、台座部２ａ１の短手方向の両端に、台座部２ａ１の長手方向に沿って設けられている。枠部２ａ３は、長手方向の両端にベース部２ａの他表面２ａｔにまで貫通する第３貫通孔２ａｃを備えている。一対の枠部２ａ３は、突条部４ｂの両端を挟むように平行に設けられている。ベース部２ａは、一対の枠部２ａ３のうちの一方に湾曲部２ａ４を備えている。湾曲部２ａ４は、台座部２ａ１の長手方向の中央部において、台座部２ａ１の短手方向に沿って外方へ延びるように設けられている。湾曲部２ａ４は、台座部２ａ１の短手方向に沿って軸が延びる円筒の一部が切り欠かれるように構成された外形形状をしている。湾曲部２ａ４は、台座部２ａ１に向かって窪んだ凹曲面を有している。ベース部２ａは、たとえば、アルミニウムダイカストにより形成させることができる。
【００３５】
第１支柱支持体２ｂは、複数の支持部２ｂａと、段部２ｂｂと、を備えている。支持部２ｂａは、窪んだ表面２ｂｕを有している。本実施形態の照明器具１０では、第１支柱支持体２ｂは、複数の支持部２ｂａとして、３つの支持部２ｂａを備えているが、３つの支持部２ｂａの構成だけに限られず、２つ以上の支持部２ｂａを備えた構成であればよい。段部２ｂｂは、支持部２ｂａの窪んだ表面２ｂｕから突出するように設けられている。第１支柱支持体２ｂは、３つの支持部２ｂａが一体となって、長尺状の外形形状をしている。支持部２ｂａは、表面２ｂｕと反対の裏面２ｂｖに溝部４ａが設けられている。溝部４ａは、第１支柱支持体２ｂの長手方向と交差する方向に沿って設けられている。溝部４ａは、第１支柱支持体２ｂの厚み方向に向かうにつれ、先細りするＶ溝に形成されている。溝部４ａは、ベース部２ａの突条部４ｂと、嵌め合わせることができるように構成されている。溝部４ａは、第１支柱支持体２ｂの長手方向に沿って、所定の間隔を隔てて並行に設けられている。支持部２ｂａは、支柱１１の先端が支持できるように、支柱１１の外形と相似形で支柱１１の外形よりも若干大きい溝状に形成されている。
【００３６】
第１支柱支持体２ｂは、異なる種類の支柱１１を支持できるように、３つの支持部２ｂａそれぞれの表面２ｂｕの形状や大きさを異ならせた構成とすればよい。支持部２ｂａは、支柱１１の軸方向と直交する方向に沿って、３つの支持部２ｂａが所定の間隔で設けられているように構成されている。第１支柱支持体２ｂは、並んで配置される３つの支持部２ｂａに連なるように、厚み方向に貫通する長穴２ｂｃが設けられている。第１支柱支持体２ｂは、ベース部２ａの突条部４ｂに、溝部４ａが嵌め合されることで、複数の支持部２ｂａそれぞれに対応する溝部４ａの位置に応じて、ベース部２ａに対する相対的な位置を変位させることができる。第１支柱支持体２ｂは、ベース部２ａの突条部４ｂに３つの溝部４ａのうちのいずれか１つを嵌め合わせた状態で、位置決めねじ３ａを第１貫通孔２ａａに設けられた雌ねじにねじ止めすることができるように構成されている。
【００３７】
ベース部２ａと第１支柱支持体２ｂとは、位置決めねじ３ａにより、相対的な位置が決まった状態で、固定される。第１支柱支持体２ｂは、表面２ｂｕから位置決めねじ３ａが突出しないように、位置決めねじ３ａの頭部を収容する段差部２ｂｓが構成されている。
【００３８】
言い換えれば、本実施形態の照明器具１０は、ベース部２ａおよび第１支柱支持体２ｂのいずれか一方には、複数の取付位置の並ぶ方向と交差する溝部４ａが設けられている。図３および図４中においては、ベース部２ａおよび第１支柱支持体２ｂのいずれか一方として、第１支柱支持体２ｂに溝部４ａが設けられた例を示している。ベース部２ａおよび第１支柱支持体２ｂの他方には、溝部４ａと嵌め合される突条部４ｂが設けられている。図３および図４中においては、ベース部２ａおよび第１支柱支持体２ｂの他方として、ベース部２ａに突条部４ｂが設けられた例を示している。
【００３９】
照明器具１０は、複数の溝部４ａがベース部２ａに設けられ、複数の溝部４ａの何れにも嵌め合すことが可能な１つの突条部４ｂを第１支柱支持体２ｂに備えた構成とすることもできる。
【００４０】
本実施形態の照明器具１０は、溝部４ａと、溝部４ａと嵌め合される突条部４ｂとが設けられていることで、第１支柱支持体と、第２支柱支持体との位置決めを比較的簡単に行うことができる。
【００４１】
本実施形態の照明器具１０では、第１支柱支持体２ｂは、３つ以上の支持部２ｂａを備えている。第１支柱支持体２ｂは、複数の取付位置の並ぶ方向に沿って並んだ支持部２ｂａのうち、両端の支持部２ｂａを除いた支持部２ｂａの１つが、図７に示すように、外径の最も小さい支柱１１を支持する構成としている。
【００４２】
本実施形態の照明器具１０では、両端の支持部２ｂａを除いた支持部２ｂａの１つが、外径の最も小さい支柱１１を支持することで、取付部材２全体の大きさを小型化することが可能となる。
【００４３】
第１支柱支持体２ｂは、支持部２ｂａと、段部２ｂｂと、を一体的に形成されている。第１支柱支持体２ｂは、たとえば、アルミニウムダイカストにより形成させることができる。
【００４４】
第２支柱支持体２ｃは、覆部２ｃ１と、脚部２ｃ２と、規制部２ｃ３と、ストッパ部２ｃ４と、を備えている。覆部２ｃ１は、長尺の矩形平板が短手方向に沿って連なるように構成されている。覆部２ｃ１は、仮想の八角筒の軸方向に沿った半分を構成するように、５つの矩形平板で構成されている。覆部２ｃ１は、図４に示すように、５つの矩形平板のうち、中央の矩形平板の厚み方向に貫通する第４貫通孔２ａｄを備えている。第４貫通孔２ａｄは、５つの矩形平板のうち、中央の矩形平板における中央部と、長手方向の一方の端部にそれぞれ設けられている。覆部２ｃ１は、５つの矩形平板のうち、両端となる２つの矩形平板から脚部２ｃ２が延びるように設けられている。覆部２ｃ１は、５つの矩形平板のうち、中央の矩形平板に隣接する矩形平板の厚み方向に貫通する第５貫通孔２ａｆを備えている。
【００４５】
脚部２ｃ２は、矩形平板の長手方向の両端に設けられている。脚部２ｃ２は、先端に固定片２ｃ５を備えている。固定片２ｃ５には、厚み方向に貫通する第６貫通孔２ａｅを備えている。覆部２ｃ１は、中央の矩形平板における長手方向に沿った両端において、規制部２ｃ３と、ストッパ部２ｃ４と、が対向するように設けられている。規制部２ｃ３とストッパ部２ｃ４とは、覆部２ｃ１における仮想の八角筒の中心軸に向かって突出するように設けられている。
【００４６】
第２支柱支持体２ｃは、覆部２ｃ１と、脚部２ｃ２と、規制部２ｃ３と、ストッパ部２ｃ４と、を金属平板の絞り加工により形成することができる。
【００４７】
第２支柱支持体２ｃは、覆部２ｃ１における矩形平板状の長手方向が、ベース部２ａの湾曲部２ａ４における軸方向と一致するように、ベース部２ａに取り付けられる。第２支柱支持体２ｃは、固定片２ｃ５の第６貫通孔２ａｅに挿通された取付ねじにより、ベース部２ａの第３貫通孔２ａｃに形成された雌ねじにねじ止めされて、ベース部２ａに固定される。第２支柱支持体２ｃは、ベース部２ａに取り付けられた状態で、第１支柱支持体２ｂとの間に支柱１１を挟み込むことができるように、空間が形成される。
【００４８】
照明器具１０では、第１支柱支持体２ｂと、第２支柱支持体２ｃとの間の空間に挿入される。支柱１１は、ストッパ部２ｃ４や段部２ｂｂと当接するまで、第１支柱支持体２ｂと、第２支柱支持体２ｃとの間の空間に挿入されることで、支柱１１の軸方向の位置決めを行われることできる。照明器具１０は、支柱１１を結合ボルト３ｂで結合させることができる。照明器具１０では、挿入された支柱１１の支持状態を、第５貫通孔２ａｆを介して、確認することができる。第５貫通孔２ａｆは、支柱１１の支持状態を確認する窓部として機能させることができる。
【００４９】
第１支柱支持体２ｂは、複数の支持部２ｂａそれぞれに適合する外径の異なる複数種の支柱１１の何れかが選択的に支持された場合、何れの外径の支柱１１であっても、ベース部２ａから支柱１１の高さが揃うように支持するように構成されている。
【００５０】
本実施形態の照明器具１０は、第１支柱支持体２ｂが異なる外径の支柱１１であっても、ベース部２ａから支柱１１の高さが揃うように支持することで、第１支柱支持体２ｂと第２支柱支持体２ｃとで支柱１１を挟み持つことを、比較的簡単に行うことが可能となる。
【００５１】
結合部３は、結合ボルト３ｂと、ナット３ｃと、を備えている。結合ボルト３ｂは、第４貫通孔２ａｄの内表面に設けられた雌ねじに締め付けられる雄ねじを構成している。結合ボルト３ｂは、第４貫通孔２ａｄの雌ねじに締め付けられる。結合ボルト３ｂは、ナット３ｃにより、器具本体１を支柱１１に取り付けて、緩み止めを行うことができるように構成されている。
【００５２】
次に、本実施形態の照明器具１０の組立工程について、簡単に説明する。
【００５３】
照明器具１０の組立工程では、光源１ａと点灯回路部とが筐体部１ｃに取り付けられた器具本体１を予め準備する。器具本体１には、予め取付部材２が取り付けられている。
【００５４】
ベース部２ａは、取付ねじ２ａｕにより、箱体１ｄｃに取り付けられている。ベース部２ａと第１支柱支持体２ｂとは、溝部４ａと突条部４ｂとが嵌め合された状態で、位置決めねじ３ａにより、固定されている。ベース部２ａと第１支柱支持体２ｂとは、溝部４ａと突条部４ｂとが嵌め合されることで、第１支柱支持体２ｂが複数の取付位置の並ぶ方向への移動が規制されるように配置されている。ベース部２ａと第２支柱支持体２ｃとは、第６貫通孔２ａｅを挿通する取付ねじが、第３貫通孔２ａｃにねじ止めされることで、固定されている。組立工程では、支柱１１の種類に合わせて、第１支柱支持体２ｂをベース部２ａの所定の位置に取り付けられている。
【００５５】
組立工程では、最初に、地上面から突出する支柱１１の先端１１ａａを湾曲部２ａ４および支持部２ｂａの表面２ｂｕに沿わせて、第１支柱支持体２ｂと第２支柱支持体２ｃとの間の空間に挿入する。組立工程では、第２支柱支持体２ｃの第４貫通孔２ａｄに結合された結合ボルト３ｂを締めることで、器具本体１を挿入された支柱１１に取り付けている。
【００５６】
組立工程では、円柱状の支柱１１の内部を伝って導出される電源線が、器具本体１のボックス１ｄａ内に引き回されている。組立工程では、ボックス１ｄａの蓋体１ｄｄを開いて、挿入孔１ｄｍに挿通された電源線を、ボックス１ｄａ内の結線端子１ｄｅと電気的に接続させる。
【００５７】
組立工程では、電源線と結線端子１ｄｅとを電気的に接続させた後、箱体１ｄｃの開口１ｄｋを塞ぐように、蓋体１ｄｄが閉じられることで組み立てを行うことができる。
【００５８】
以下では、本実施形態の照明器具１０を異なる支柱１１に取り付ける施工作業について、比較例の照明器具と対比して説明する。
【００５９】
照明器具は、たとえば、屋外で使用される道路灯や街路灯などに用いられる場合、耐久性の高い構造とするために、光源を保持する器具本体が丈夫で重量が重くなる傾向にある。
【００６０】
また、照明器具は、比較的高所にある支柱の先端に取り付けられる場合もあり、施工作業が行いにくい場合もある。
【００６１】
ところで、照明器具は、比較例として、特許文献１のごとき構造を用いる場合、クランプにねじ込まれたボルトと筐体とのスペースが大きければ、支柱の軸方向に沿った所定の角度で、支柱を挿入させることが難しい。照明器具は、クランプにねじ込まれたボルトと筐体とのスペースが小さければ、支柱の挿入自体が困難になる傾向にある。
【００６２】
また、照明器具では、異なる種類の支柱ごとに支柱受けを別途に交換する別の比較例の構造とすることも考えられる。別の比較例の照明器具の構造では、異なる種類の支柱に対応して、支柱受けを別途にそれぞれ用意し、異なる支柱ごとに支柱受けを交換する。しかしながら、別の比較例の照明器具では、重量の重い器具本体を取り付けることができるように、それぞれアルミニウムダイカストなどで支柱受けが形成される場合、金型の投資費用が大きくなる傾向にある。また、別の比較例の照明器具では、施工現場において、複数種の支柱受けを準備していなければ、器具本体を支柱に取り付けることができない場合もある。
【００６３】
これに対し、本実施形態の照明器具１０は、異なる種類の支柱１１に適合する支柱受けをそれぞれ用意する必要がなく、異なる種類の支柱１１を取付部材２に沿わせて比較的簡単に取り付けることが可能となる。本実施形態の照明器具１０は、部材をはずす必要がなく、器具本体１に支柱１１を取り付けることが可能となる。
【００６４】
本実施形態の照明器具１０では、比較的簡単に異なる種類の支柱１１に器具本体１を取り付けることができるため、施工作業性を向上させることが可能となる。
【００６５】
以下では、本実施形態の照明器具１０における異なる支柱１１を取り付ける施工作業について、図５ないし図７を参照しながら、より詳細に説明する。
【００６６】
施工作業では、当初、図５に示す、第１支柱１１ａに器具本体１を取付部材２で取り付けられる状態から、図６に示す、第３支柱１１ｃに器具本体１を取付部材２で取り付けられる状態にする例を説明する。施工作業では、たとえば、図６に示す、第３支柱１１ｃに器具本体１を取付部材２で取り付けられる状態から、図７に示す、第２支柱１１ｂに器具本体１を取付部材２で取り付けられる状態にする場合も、同様に行うことができる。第１支柱１１ａは、たとえば、外径が６０．５ｍｍのポールが用いられ、第２支柱１１ｂは、たとえば、外径が４８．６ｍｍのポールが用いられ、第３支柱１１ｃは、たとえば、外径が３４ｍｍのポールが用いられる。
【００６７】
施工作業では、位置決めねじ３ａを、第１貫通孔２ａａから抜けるように、位置決めねじ３ａが緩められる。施工作業では、位置決めねじ３ａが緩められた状態で、第１支柱支持体２ｂをベース部２ａから離れるように、ベース部２ａの厚み方向に沿って、持ち上げられる。第１支柱支持体２ｂとベース部２ａとでは、溝部４ａから突条部４ｂが抜け出ることができる状態になるので、溝部４ａと突条部４ｂとが離れた状態となる。
【００６８】
施工作業では、位置決めねじ３ａを緩めて、ベース部２ａに対し第１支柱支持体２ｂを一対の枠部２ａ３に沿わせてスライドさせて、相対的に変位させるだけで異なる支柱１１に器具本体１を取り付けることができる。
【００６９】
次に、施工作業では、溝部４ａと突条部４ｂとが離れた状態で、複数の取付位置の並ぶ方向に第１支柱支持体２ｂを変位させて、複数の取付位置のうちの任意の１つの取付位置に取り付けることが可能となる。施工作業では、溝部４ａと突条部４ｂとが離れた状態で、一対の枠部２ａ３に沿って第１支柱支持体２ｂを、複数の取付位置の並ぶ方向に沿った所定の位置に配置することで、異なる支柱１１に取り付けることが可能となる。
【００７０】
施工作業では、ベース部２ａに対して第１支柱支持体２ｂを所定の位置に変位させて、溝部４ａと突条部４ｂとが嵌め合わされられる。照明器具１０では、突条部４ｂと溝部４ａとが嵌め合わされることで、ベース部２ａに対して第１支柱支持体２ｂが変位することが規制される。施工作業では、ベース部２ａに対して第１支柱支持体２ｂを所定の取付位置に配置した後、再び位置決めねじ３ａにより、第１支柱支持体２ｂをベース部２ａに固定させる。施工作業では、第１支柱１１ａから第３支柱１１ｃに適合する支持部２ｂａにした上で、器具本体１に支柱１１が挿入されて、取り付けられる。
【００７１】
本実施形態の照明器具１０では、器具本体１を異なる種類の支柱１１に取り付けることができる限り、円筒状の支柱１１に取り付ける構成だけに限られず、角筒状など適宜に他の種類の支柱１１に取り付ける構造に利用することができる。
【符号の説明】
【００７２】
１  器具本体
１ａ  光源
２  取付部材
２ａ  ベース部
２ｂ  第１支柱支持体
２ｃ  第２支柱支持体
２ｂａ  支持部
１０  照明器具
１１  支柱
【図１】
0006532022.tif 000002
【図２】
0006532022.tif 000003
【図３】
0006532022.tif 000004
【図４】
0006532022.tif 000005
【図５】
0006532022.tif 000006
【図６】
0006532022.tif 000007
【図７】
0006532022.tif 000008